(57)【要約】【課題】広い範囲で高さ調節可能であり、現場で簡便に取付作業を行うことができる防水パン用支持脚を提供する。【解決手段】面積の異なる面６,７,８から成る直方体状のブロック体３と、ブロック体３に螺合する調節ボルト４とを有し、ブロック体３は、取付部１３,１７,２１と、これらが形成された面と対向する面６ｂ，７ｂ,８ｂに、それぞれ調節ボルト４が出没量調節自在に螺合するボルト穴１６,２０,２４を形成して、ブロック体３の立てる向きを三通りに変更自在とし、それぞれの立て向きにおいて調節ボルト４の出没量を調節することができるように構成した。【選択図】図１
2010024626.tif 000002
【特許請求の範囲】
【請求項１】
防水パンの底面の支持脚取付位置に取り付けられる防水パン用支持脚であって、
直方体状の支持脚本体と、この支持脚本体に螺合する調節ボルトとを有し、
上記支持脚本体は、対向しない二面または三面に設けられ上記調節ボルトが出没量調節自在に螺合するボルト穴と、上記ボルト穴を備えた面と対向する面に設けられ防水パンの底面の支持脚取付位置に取り付けられる取付部とを備えたことを特徴とする、防水パン用支持脚。
【請求項２】
前記取付部は、前記支持脚本体の面の縁部からこの面と面一に張り出したフランジを含むことを特徴とする、請求項１に記載の防水パン用支持脚。
【請求項３】
前記支持脚本体は、面材とこの面材に立設されたリブとから構成されたことを特徴とする、請求項１又は２に記載の防水パン用支持脚。
【発明の詳細な説明】
【技術分野】
【０００１】
本発明は、防水パンを高さ調節可能に支持する防水パン用支持脚に関する。
【背景技術】
【０００２】
一般に、ユニットバス等の防水パンは、高さ調節可能に構成された防水パン用支持脚により高さ調節された状態で、設置面上に設置される。防水パンの設置場所である設置面は通常は平坦であるが、傾斜していたり段があったりする場合もある。また、防水パンは、それ自体の底面にも傾斜が形成されていたり、段が形成されていたりする場合がある。そのため、防水パンと設置面との間の適宜の部位に、高さ調節が可能な防水パン用支持脚が配設され、防水パンの斜度や設置面からの距離が適宜調節できるように構成されている。
【０００３】
従来、この種の防水パン用支持脚は、特許文献１に開示されているように、支柱状の部材の外周面に雄ねじが形成された高さ調整用ボルトと、この高さ調整用ボルトを螺合するボルト穴が形成された支脚本体と、この支脚本体に設けられ、支脚本体を防水パンの底面に固定するための取付け部とから構成され、支脚本体のボルト穴に対する高さ調整用ボルトの出没量を調節することによって、防水パンを所要の高さに調整することができる。
【特許文献１】特開平８−１３２０３３号公報
【発明の開示】
【発明が解決しようとする課題】
【０００４】
しかしながら、従来の防水パン用支持脚では、高さ調整用ボルトの長さにより高さ調整することができる範囲が規定され、高さ調整用ボルトの長さは支脚本体の高さにより規定されるため、調節可能範囲が狭いという問題があった。このため、防水パンや防水パンの設置場所によっては一種類の防水パン用支持脚では対応し切れず、数種類の大きさの防水パン用支持脚を必要とすることがあり、製造コストや在庫コストが高くなるという問題があった。
【０００５】
本発明は、上記問題点に鑑みてなされたものであり、単純な構造で広い範囲で高さ調節可能であり、現場で簡便に調整作業を行うことができる防水パン用支持脚を提供することを目的とする。
【課題を解決するための手段】
【０００６】
上記目的を達成するため、本発明は、防水パンの底面の支持脚取付位置に取り付けられる防水パン用支持脚であって、直方体状の支持脚本体と、この支持脚本体に螺合する調節ボルトとを有し、支持脚本体は、対向しない二面または三面に設けられ調節ボルトが出没量調節自在に螺合するボルト穴と、ボルト穴を備えた面と対向する面に設けられ、防水パンの底面の支持脚取付位置に取り付けられる取付部とを備えたことを特徴とする。
【０００７】
取付部は、支持脚本体の面の端縁から張り出したフランジを含んで構成されることが望ましい。
【０００８】
支持脚本体は、面材とこの面材に立設されたリブとから構成することができる。
【発明の効果】
【０００９】
本発明によれば、防水パン用支持脚が、直方体状の支持脚本体とこの支持脚本体に螺合する調節ボルトとを有し、取付部が形成された面と対向する面にそれぞれ調節ボルトを出没自在に螺合するボルト穴を形成したことにより、支持脚本体の立て向きにより高さを調節し、かつ調節ボルトの出没量を調節することでも高さを調節することができるから、高さ調節可能範囲を著しく広範化させることができる。
【００１０】
取付部が、支持脚本体の面の端縁から張り出したフランジを有することにより、このフランジを防水パンに螺着することで簡便に取り付けることができる。
【００１１】
本発明の防水パン用支持脚の支持脚本体を、面材とこの面材に立設されたリブとから構成することによって、軽量でありながら強固な防水パン用支持脚を得ることができる。
【発明を実施するための最良の形態】
【００１２】
以下、本発明の好ましい実施の形態を、図１〜図４を参照しながら詳細に説明する。第一の実施形態に係る防水パン用支持脚１は、防水パンの底面に形成される支持脚取付位置であるボス部２（図２参照）に防水パン用支持脚１を取り付けて、防水パンを高さ調節可能に支持するものである。
【００１３】
防水パン用支持脚１は、図１に示すように、三辺の長さの異なる直方体状の支持脚本体としてのブロック体３と、このブロック体３に出没量調節可能に螺合する調節ボルト４とを備え、四本のねじ５により防水パンのボス部２に固設される。ボス部２は、底面が正方形状に形成され、この正方形状の底面の四つ角近傍部位には、図２に示すように、それぞれねじ孔９が形成されて構成される。なお、ねじ５は、図１において二本のみを図示し、他の二本を図示省略する。
【００１４】
ブロック体３は、長さの異なる三つの辺部、すなわち短辺部１０と、この短辺部１０より長い中辺部１１と、長辺部１２とを有する直方体形状をなしている。各辺部は、四本ずつあり、それぞれ面取り処理がなされている。中辺部１１の長さは、短辺部１０の長さと調節ボルト４の長さとを足し合わせた長さより若干短めに設定される。また、長辺部１２の長さは、中辺部１１の長さと調節ボルト４の長さとを足し合わせた長さより若干短めに設定される。ブロック体３の各面を大面６,中面７,小面８とする。各面は一対ずつあり、取付部が形成された面を第一の大面６ａ，第一の中面７ａ，第一の小面８ａとし、これらに対向する面であってボルト穴を備えた面を第二の大面６ｂ，第二の中面７ｂ，第二の小面８ｂとする。
【００１５】
ブロック体３は、第一の大面６ａの中央部に、第一の取付部１３を有する。第一の取付部１３は、防水パンのボス部２に防水パン用支持脚１を取り付けるための構造であって、ブロック体３の第一の大面６ａの中央部において、防水パンのボス部２のねじ孔９に対応する部位に貫通した四つのねじ孔１４と、このねじ孔１４を含む、防水パンのボス部２に対応する正方形領域とから構成される。これらの四つのねじ孔１４の直下部には、それぞれ下面側からねじ孔１４に向かってテーパ状に窄まったガイド穴１５が形成される。
【００１６】
第一の大面６ａに対向する第二の大面６ｂの中央部には、第一のボルト穴１６が形成される。この第一のボルト穴１６は、内周面に雌ねじが形成され、調節ボルト４を出没自在に螺合することができるように構成される。短辺部１０の長さが調節ボルト４の長さと同等であるため、第一のボルト穴１６は、第一の大面６ａにおける第一の取付部１３の中央部まで貫通している。
【００１７】
図３に示すように、ブロック体３は、第一の中面７ａの中央部に、第二の取付部１７を有する。この第二の取付部１７は正方形領域であり、ブロック体３の第一の中面７ａのほぼ中央部の端縁から張り出したフランジ１８を含んで構成される。このフランジ１８の隅部には、それぞれねじ孔１９が形成される。すなわち、第二の取付部１７は、フランジ１８を含む正方形領域と、この正方形領域の角部に貫穿される四つのねじ孔１９とによって構成される。この四つのねじ孔１９の形成位置は、防水パンのボス部２の底面に形成されるねじ孔９の位置に対応する。
【００１８】
図４に示すように、第一の中面７ａに対向する第二の中面７ｂのほぼ中央部には、第二のボルト穴２０が形成される。この第二のボルト穴２０は、内周面に雌ねじが形成され、調節ボルト４が出没量調整自在に螺合するように構成される。第二のボルト穴２０の深さは調節ボルト４の軸部の長さと同等以上である。
【００１９】
ブロック体３は、第一の小面８ａの中央部に、第三の取付部２１を有する。この第三の取付部２１は正方形領域であり、第一の小面８ａの端縁から張り出したフランジ２２を含んで構成される。このフランジ２２の角部には、それぞれねじ孔２３が形成される。すなわち、第三の取付部２１は、フランジ２２を含む正方形領域と、この角部に貫穿される四つのねじ孔２３とによって構成される。この四つのねじ孔２３の形成位置は、防水パンのボス部２の底面に形成されるねじ孔９の位置に対応する。
【００２０】
第一の小面８ａに対向する第二の小面８ｂのほぼ中央部には、適宜の深さで穿設された第三のボルト穴２４が形成される。この第三のボルト穴２４は、内周面に雌ねじが形成され、調節ボルト４が出没量調整自在に螺合するように構成される。第三のボルト穴２４の深さは調節ボルト４の軸部の長さと同等以上である。
【００２１】
第一実施形態の防水パン用支持脚１は、第一の取付部１３を防水パンのボス部２に取り付けて使用したり、図３（ａ）に示すように、第二の取付部１７を上方に向けて防水パンのボス部２に取り付けて使用したり、或いは、図３（ｂ）に示すように、第三の取付部２１を上方に向けて防水パンのボス部２に取り付けて使用することができる。
【００２２】
第一の取付部１３を防水パンのボス部２に取り付けて使用する場合には、第一の取付部１３をボス部２の正方形状の底部に合わせて当接させ、互いのねじ孔９,１４を位置合わせしつつ、下方からねじ５を螺合して、防水パン用支持脚１をボス部２に固設する。この状態を図２に示す。防水パン用支持脚１をボス部２に固設した状態で、防水パン用支持脚１の第二の大面６ｂの第一のボルト穴１６に調節ボルト４を螺合する。防水パンの設置時には、防水パン用支持脚１の出没量を調節して防水パンの高さ位置を調整する。この際、防水パン用支持脚１の高さ調節範囲は、短辺部１０の長さから、短辺部１０の長さと調節ボルト４の長さとを足し合わせた程度の長さまでの範囲になる。
【００２３】
第二の取付部１７を防水パンのボス部２に取り付けて使用する場合には、第二の取付部１７をボス部２の正方形状の底部に合わせて当接させ、互いのねじ孔９,１９を位置合わせしつつ、下方からねじ５を螺合して、防水パン用支持脚１をボス部２に固設する。防水パン用支持脚１をボス部２に固設した状態で、防水パン用支持脚１の第二の中面７ｂの第二のボルト穴２０に調節ボルト４を螺合する。防水パンの設置時には、防水パン用支持脚１の出没量を調節して防水パンの高さ位置を調整する。この際、防水パン用支持脚１の高さ調節範囲は、中辺部１１の長さから、中辺部１１の長さと調節ボルト４の長さとを足し合わせた程度の長さまでの範囲になる。
【００２４】
第三の取付部２１を防水パンのボス部２に取り付けて使用する場合には、第三の取付部２１をボス部２の正方形状の底部に合わせて当接させ、互いのねじ孔９,２３を位置合わせしつつ、下方からねじ５を螺合して、防水パン用支持脚１をボス部２に固設する。防水パン用支持脚１をボス部２に固設した状態で、防水パン用支持脚１の第二の小面８ｂの第三のボルト穴２４に調節ボルト４を螺合する。防水パンの設置時には、防水パン用支持脚１の出没量を調節して防水パンの高さ位置を調整する。この際、防水パン用支持脚１の高さ調節範囲は、長辺部１２の長さから、長辺部１２の長さと調節ボルト４の長さとを足し合わせた程度の長さまでの範囲になる。
【００２５】
以上のように、第一実施形態の防水パン用支持脚１の高さ調節範囲は、短辺部１０の長さから、短辺部１０の長さと調節ボルト４の長さとを足し合わせた長さまでの範囲と、中辺部１１の長さから、中辺部１１の長さと調節ボルト４の長さとを足し合わせた長さまでの範囲と、長辺部１２の長さから、長辺部１２の長さと調節ボルト４の長さとを足し合わせた長さまでの範囲の三つの長さ範囲となる。ここで、中辺部１１の長さが、短辺部１０の長さと調節ボルト４の長さとを足し合わせた長さより若干短めに設定され、長辺部１２の長さが、中辺部１１の長さと調節ボルト４の長さとを足し合わせた長さより若干短めに設定されることから、防水パン用支持脚１によれば、短辺部１０の長さから長辺部１２の長さに調節ボルト４の長さを足し合わせた程度の長さまでの範囲で、任意の高さに調節することができる。
【００２６】
以上説明したように、本発明の防水パン用支持脚は、長さの異なる三辺１０，１１，１２を有する直方体状の支持脚本体としてのブロック体３と、このブロック体３に螺合する調節ボルト４とを有し、ブロック体３は、大中小の面６ｂ,７ｂ,８ｂずつにそれぞれ取付部１３,１７,２１が形成され、これらと対向する面に、それぞれ調節ボルト４を出没自在に螺合するボルト穴１６,２０,２４を形成して、ブロック体３の立てる向きを三通りに変更自在とし、それぞれの立て向きにおいて調節ボルト４の出没量を調節することができるように構成したものであって、その主旨を逸脱しない範囲において様々な形態で実施することができる。
【００２７】
例えば、ブロック体３は、必ずしも三辺の長さが異なる直方体でなければならないという訳ではなく、二辺の長さが異なる直方体としてもよい。また、直方体状のブロック体１０３は、中空で構成したり、或いは、図４に示す第二実施形態の防水パン用支持脚１０１におけるブロック体１０３のように、複数の面材と、これらの面材１０６,１０７,１０８に立設された幾つかのリブ１２２とによって構成することも可能であり、全体として、直方体状に形成されるものであればよい。図４に示す防水パン用支持脚１０１は、適宜の面の端縁から張り出したフランジ１１８が個々に略正方形状に形成され、各取付部１１３,１１７,１２１は略長方形の領域と、この略長方形の領域の各頂点部位に形成されるねじ孔１１４とから構成される。その機能及び使用方法については第一実施形態の防水パン用支持脚１と同様であるから説明を省略する。
【図面の簡単な説明】
【００２８】
【図１】本発明の一実施形態に係る防水パン用支持脚の構成を示す斜視図であり、第一の取付部を上方に向けて配置した状態を斜め上方から見た図である。
【図２】上記実施形態の防水パン用支持脚の第一の取付部を防水パンのボス部に当接させている状態を、図１のＡ−Ａ断面の方向から見た断面図である。
【図３】（ａ）は、図１の防水パン用支持脚の第二の取付部を上方に向けて配置した状態を斜め上方から見た斜視図であり、（ｂ）は、当該防水用支持脚の第三の取付部を上方に向けて配置した状態を斜め上方から見た斜視図である。
【図４】本発明の一変形例の防水パン用支持脚の構成を示す斜視図であり、（ａ）は、第一の取付部を上方に向けて配置した状態を斜め上方から見た斜視図であり、（ｂ）は、当該防水パン用支持脚の第二の取付部を上方に向けて配置した状態を斜め上方から見た斜視図であり、（ｃ）は、当該防水用支持脚の第三の取付部を上方に向けて配置した状態を斜め上方から見た斜視図である。
【符号の説明】
【００２９】
１  防水パン用支持脚
２  ボス部
３  ブロック体
４  調節ボルト
５  ねじ
６，６ａ，６ｂ  大面
７，７ａ，７ｂ  中面
８，８ａ，８ｂ  小面
９  ねじ孔
１０  短辺部
１１  中辺部
１２  長辺部
１３  第一の取付部
１４  ねじ孔
１５  ガイド穴
１６  第一のボルト穴
１７  第二の取付部
１８  フランジ
１９  ねじ孔
２０  第二のボルト穴
２１  第三の取付部
２２  フランジ
２３  ねじ孔
２４  第三のボルト穴
１０１  防水パン用支持脚
１０３  ブロック体
１０６，１０７，１０８  面材
１１３  取付部
１１４  ねじ孔
１１７  取付部
１１８  フランジ
１２１  取付部
１２２  リブ
【図１】
2010024626.tif 000003
【図２】
2010024626.tif 000004
【図３】
2010024626.tif 000005
【図４】
2010024626.tif 000006